(57)【要約】【課題】  設置したレンズ受が眼鏡レンズ用かコンタクトレンズ用かを検知し、自動的に測定モードを切換えることにより検者の誤操作による測定ミスを未然に防止することによりレンズの測定精度を向上したレンズメータを提供する。【解決手段】  発光手段から投射されてレンズ受上に載置される被検レンズを透過せしめた測定光束を光電変換型の受光手段で検出し、該検出値に基づいて前記被検レンズの光学特性を測定するレンズメータにおいて、コンタクトレンズ測定モードに切換える測定モード切換え手段を有し、コンタクトレンズ用のレンズ受を設置した場合に該レンズ受に施した突起部分がレンズ受設置面上のマイクロスイッチに接することにより設置したレンズ受が眼鏡レンズ用かコンタクトレンズ用かを検知し、自動的にコンタクトレンズ測定モードあるいは眼鏡レンズ測定モードに切換えることができるようにした。【選択図】      図５
2005031058.tif 000002
【特許請求の範囲】
【請求項１】
発光手段から投射されてレンズ受上に載置される被検レンズを透過せしめた測定光束を光電変換型の受光手段で検出し、該検出値に基づいて前記被検レンズの光学特性を測定するレンズメータにおいて、コンタクトレンズ測定モードに切換える測定モード切換え手段と、眼鏡レンズ用のレンズ受とコンタクトレンズ用のレンズ受を付属し、現在設置されているレンズ受が眼鏡レンズ用かコンタクトレンズ用かを検知する検知手段と、該検知手段により自動的にコンタクトレンズ測定モードあるいは眼鏡レンズ測定モードに切換える切換え手段を有することを特徴とするレンズメータ。
【請求項２】
請求項１のレンズメータにおいて、現在設置されているレンズ受が眼鏡レンズ用かコンタクトレンズ用かを検知する検知手段に、マイクロスイッチを用いたことを特徴とするレンズメータ。
【発明の詳細な説明】
【発明の詳細な説明】
【産業上の利用分野】
【０００１】  本発明は、光学系における屈折力等の光学特性を測定するレンズメータに関するものである。
【従来技術】
【０００２】  眼鏡レンズおよびコンタクトレンズでは形状、特に外形寸法や後面側（レンズ受に載せる側）の曲率半径が異なることから従来より眼鏡用のレンズ受とコンタクトレンズ用のレンズ受の２種類のレンズ受を付属し、測定するレンズによりレンズ受を取り替えると同時に、レンズ受の形状や眼鏡レンズとコンタクトレンズの形状、材質の違いにより生じる誤差を補正するため眼鏡レンズ測定モードとコンタクトレンズ測定モードを設けて測定モードの切換えを行っていた。
【０００３】  しかし、これらの方法ではレンズ受の取り替えと測定モードの切換えを同時に行う必要があることから、検者が測定モードの切換えを忘れて眼鏡レンズ測定モードでコンタクトレンズを測定したり、また逆にコンタクトレンズ測定モードで眼鏡レンズを測定する恐れがあり、正常な測定が行われないことがあった。
【０００４】  この対策として特開平４−３４４４０号では被検レンズをレンズ受に載せた状態で被検レンズの外径、表面の曲率半径、重量、フレームの存否、レンズ押さえの使用の有無の少なくとも何れか１つを検知する検知手段を設け、該検知手段の検知信号に基づいて、被検レンズが眼鏡レンズであるかコンタクトレンズであるかを識別する識別手段を有するレンンズメータを提示している。しかし、これら提示された検知手段はいずれも、複雑な構成を追加せねばならないため、コストが高価にならざる得ないとともに、検知手段として確実性にも問題がある。例えば、レンズ押さえの使用の有無に関して言えば、眼鏡レンズの測定時、必ず使用するものでもない。
【０００５】  また、特開２００３−４５９０号では測定光束を２重円状にして、眼鏡レンズ用のレンズ受の開口径とコンタクトレンズ用レンズ受の開口径が異なることを利用して、設置したレンズ受がどちらのものかを検知する検知手段が設け、該検知手段により測定モードを自動的に切換える切換手段を提示している。しかし、この方法では、予め測定光束を２重円状であることが条件となっている。従来、レンズメータの光束は１重円状場合が多く、２重円状にすることは、測定光学系を複雑にし、それによりコスト上昇は避けられない。
【発明が解決しようとする課題】
【０００６】  そこで、本発明は、従来の１重円状の光束を持つレンズメータであっても、設置したレンズ受が眼鏡レンズ用かコンタクトレンズ用かを検知する検知手段を設け、該検知手段により自動的に測定モードを切換えることにより検者の誤操作による測定ミスを防止することができるレンズメータを提供することを目的とする。
【０００７】  また、本発明による検知手段はコンタクトレンズ用のレンズ受を設置した場合に該レンズ受に施した突起部分がレンズ受設置面上のマイクロスイッチに接することにより検知するため、検知が確実であり、しかも検知機構も簡単なため低コストで実現可能なレンズメータを提供することを目的とする。
【課題を解決するための手段】
【０００８】  そして、このような課題を解決するために、本発明の特徴とするところは、発光手段から投射されてレンズ受上に載置される被検レンズを透過せしめた測定光束を光電変換型の受光手段で検出し、該検出値に基づいて前記被検レンズの光学特性を測定するレンズメータにおいて、コンタクトレンズ測定モードに切換える測定モード切換え手段と、設置したレンズ受が眼鏡レンズ用かコンタクトレンズ用かを検知する検知手段と、該検知手段により自動的にコンタクトレンズ測定モードあるいは眼鏡レンズ測定モードに切換えることができるようにしたことである。
【０００９】  また、本発明による検知手段はコンタクトレンズ用のレンズ受を設置した場合に該レンズ受に施した突起部分がレンズ受設置面上のマイクロスイッチに接することにより検知するため、検知を確実にし、しかも検知機構も簡単にし、これにより低コストで供給を可能にしたことである。
【作用】
【００１０】  本発明におけるレンズメータはレンズ受の取り替えと同時に自動的に測定モードを切換えることが可能なため検者の誤操作による測定ミスを未然に防止できることから、レンズの測定精度の向上ができる。
【発明を実施するための最良の形態】
【００１１】  以下、本発明を更に具体的に明らかにするために、本発明の実施形態について、図面を参照しつつ、詳細に説明する。【００１２】  まず、図１には、本発明の一実施形態としての測定光学系の概略構成が示されている。かかる測定光学系は、光源１０によって測定光が発せられ、略一方向に集光されて投射されるようになっている。そして、この光源１０の投射光学系としてのコリメートレンズ１６が、測定光束１２の光軸１４に対して同軸的に配置されており、光源１０からの測定光がこのコリメートレンズ１６を透過することによって、測定光束１２が略平行光線とされるようになっている。更に、コリメートレンズ１６の先には、被検レンズ１８がレンズ受５で支持され、測定光束１２の光軸１４と略同軸的に配置され得るようになっている。そして、測定光束１２が、略平行光線とされた後、被検レンズ１８に透過するようになっている。また、被検レンズ１８を透過した測定光束１２の光軸上には集光レンズ２０と結像レンズ２２が、互いに離間して配置されており、更に、結像レンズ２２の先には、測定光束１２の光路上で結像レンズ２２から離間して受光素子２４が配置されている。そして、被検レンズ１８を透過した測定光束１２が集光レンズ２０で集光された後、結像レンズ２２により、受光素子２４に導かれるようになっている。また、集光レンズ２０と結像レンズ２２によって、受光素子２４の受光面が被検レンズ１８に対して共役とされており、被検レンズの一定位置に入射された測定光が、被検レンズ１８の屈折力等に関わらず、受光素子２４の受光面における一定位置に導かれるようになっている。【００１３】  要するに、本実施例の測定光学系においては、被検レンズ１８を挟んで光軸方向両面で対抗位置するようにして、光源１０と受光素子２４が配設されており、光源１０にて発せられた測定光束１２がコリメートレンズ１６を経て被検レンズ１８に投射され、被検レンズ１８を透過した後、集光レンズ２０と結像レンズ２２を経て、受光素子２４に導かれ、図２に示されている如く、光電変換素子２６ａ〜ｄ（受光点）によって、電気信号として検出されるようになっているのである。【００１４】  なお、本実施形態では、図２に示されている如く、受光素子２４の受光面上において、正方形の四隅にそれぞれ光電変換素子（受光点）２６ａ、２６ｂ、２６ｃ、２６ｄが位置するように、合計４つの光電変換素子が配設されている。そして、かかる受光素子２４は、４つの光電変換素子２６ａ〜ｄから成る正方形の中心が、測定光束１２の光軸１４上に位置するようにして、受光面が光軸１４に対して垂直に配されており、各光電変換素子２６ａ、２６ｂ、２６ｃ、２６ｄの位置は、受光面における光検知点とされている。【００１５】  さらに、測定光束１２の光路上には、集光レンズ２０と結像レンズ２２の間に位置して、回転チョッパとしての円形平板形状を有する回転板３２が、光路に対して垂直な方向に配設されている。この回転板３２は、駆動モータ２８によって、測定光束１２の光軸１４に対して平行に偏倚した回転軸３０の回りに回転駆動されるようになっている。また、かかる回転板３２は、回転軸３０の回りの回転運動に伴って、測定光束１２を遮断し��るエッジ部を有しており、回転軸３０の回りの回転によって測定光束１２、ひいては受光素子２４への入射光が断続されるようになっている。【００１６】  特に、本実施形態では、図３に示される如く、円板形状の回転板３２に対して、それぞれ、光路と交差する位置において、略扇形状の窓部３４が、周方向に互いに９０°ずつ隔たって形成されている。また、これら窓部３４の周方向両側エッジ部３６、３８は、何れも数学的に既知の形状とされており、特に本実施形態では、何れのエッジ部３６、３８も、測定光束１２の光軸１４との交差点の軌跡としての一円周４０に対する交差角度：α、βが、４５°となるように設計されている。更にまた、回転板３２の外周部には、エッジ部３６、３８の周方向の基準位置を与えるためのスリット４２ａ、４２ｂが形成されている。そして、本実施形態では、かかる回転板３２が、集光レンズ２０から受光素子２４側に、集光レンズ２０の焦点距離だけ隔たった位置に配設されている。【００１７】  このような構造とされたレンズメータでは、被検レンズが光路上に配設された場合に、この被検レンズ１８において、共役となる受光素子２４の各受光点２６ａ〜ｄに対応した各点を透過した光が、被検レンズ１８の有する屈折力特性（球面度数、円柱度数等の光学特性）に応じて屈折することにより、回転板３２の配設面上での位置が変位せしめられることとなる。それ故、被検レンズ１８の各点を透過した光の、回転板３２の配設面上における位置の変位量と変位方向を測定することによって、それら値から、被検レンズ１８の光学特性を求めることができるのである。そこにおいて、回転板３２の配設面上における透過光の変位量と変位方向は、回転板３２のエッジ部３６、３８による断続位置を、その基準位置からの回転角度の変位量として、受光素子２４の各光電変換素子２６ａ〜ｄで検出することによって知ることができることから、それら光電変換素子２６ａ〜ｄの出力信号と、スリット４２ａ、４２ｂを利用した光電スイッチ等の基準位置センサ４４によって得られる回転板３２の基準位置信号を、マイクロコンピュータ等で構成される演算処理装置４６に入力し、予め設定されたプログラムに従って演算処理を行うことにより、目的とする被検レンズ１８における球面度数、円柱度数等の光学特性を得ることができるのである。尚、かかる光電変換素子２６ａ〜ｄの出力信号に基づいて被検レンズ１８の球面度数、円柱度数等の光学特性を求めるための演算方法は、特開平５−２３１９８５等に記載されていることから、ここでは詳述を避ける。【００１８】  ここにおいて、レンズ受の設置面には図５に示すようマイクロスイッチ５０が予め設置してある。眼鏡レンズ用レンズ受及びコンタクトレンズ用レンズ受は図４に示してある。図４のようにコンタクトレンズ用のレンズ受の下方には突起部分５１がある。【００１９】  ここで、眼鏡レンズ用のレンズ受を設置した場合は突起部分はないためかかるマイクロスイッチ５０に接することはないため、信号は得られない。コンタクトレンズ用のレンズ受には上述のように突起物５１があり、設置することによりかかる突起物５１が設置面上のマイクロスイッチに接することになり、図５の如く、かかるマイクロス���ッチがＯＮ状態になり、信号を得ることができる。かかる信号により、設置されたレンズ受けが眼鏡レンズ用かまたはコンタクトレンズ用かが検知できるのである。この検知結果により、自動的に測定モードを切換えるようになっている。かかる検知作業及び測定モードの自動切換えは演算処理装処理装置４６にて行う。【００１８】  上述の実施例は、レンズ受けの種類により測定モードを自動的に切換えたが、もし、レンズ受の種類と測定モードが異なると判断した場合は画面表示やブザー音などで表示あるいは警告することも可能である。
【発明の効果】
【００２０】  上述の説明から明らかなように、本発明によれば、レンズ受の取り替えと同時に自動的に測定モードを切換えることが可能なため検者の誤操作による測定ミスを未然に防止できることから、レンズの測定精度の向上ができる。これにより、測定結果の信頼性や測定能率も高まり、顧客サービス性が向上し得るのである。
【図面の簡単な説明】
【図１】  本発明の一実施形態としての測定光学系の概略構成を示した図である。
【図２】  図１で示された測定光学系で採用されている受光素子の正面図である。
【図３】  図１で示された測定光学系で採用されている回転板の正面図である。
【図４】  眼鏡用のレンズ受とコンタクトレンズ用のレンズ受の例を示した図である。
【図５】  レンズ受の設置面の構造（マイクロスイッチの位置）とコンタクトレンズ用レンズ受を設置した場合の図である。
【符号の説明】
１０  光源
１２  測定光束
１８  被検レンズ
２４  受光素子
２６  光電変換素子（受光点）
３２  回転板
５０  マイクロスイッチ
５１  突起部分
【図１】
2005031058.tif 000003
【図２】
2005031058.tif 000004
【図３】
2005031058.tif 000005
【図４】
2005031058.tif 000006
【図５】
2005031058.tif 000007